(57)【特許請求の範囲】
【請求項１】
潜像保持体の表面に静電潜像を形成する潜像形成手段と、
前記潜像保持体に現像剤を供給して前記静電潜像を可視像に現像する現像手段と、
前記潜像保持体に接触可能に設けられ、前記可視像を前記潜像保持体から写し取り、一時的に保持する中間転写手段と、
前記中間転写手段と接触可能に設けられ、文字情報を保持する記憶手段とその文字情報を通信する通信手段とを有するＩＣチップを、前記中間転写手段の前記可視像上に転写するＩＣチップ転写手段と、
前記ＩＣチップ転写手段による転写動作を制御する転写制御手段と、
前記中間転写手段と接触可能に設けられ、前記ＩＣチップが転写された可視像を、前記中間転写手段から印刷媒体に転写する可視像転写手段と、
を有することを特徴とする画像形成装置。
【請求項２】
前記転写制御手段は、
印刷情報に基づいて、前記ＩＣチップ転写手段の前記ＩＣチップを、前記中間転写手段の前記可視像に転写する位置を算出するとともに、
前記潜像形成手段による潜像形成の時間タイミングと、前記潜像保持体の回転速度と、前記中間転写手段の回転速度と、に基づいて、前記ＩＣチップ転写手段の前記ＩＣチップを、前記中間転写手段の前記可視像に転写する時間タイミングを算出する算出手段と、
前記算出手段により、算出された位置及び時間タイミングに基づいて、ＩＣチップ転写手段による転写を制御する制御手段と、
を有することを特徴とする請求項１に記載の画像形成装置。
【請求項３】
前記ＩＣチップの少なくとも一方の面は、前記可視像と付着性の高い材料で形成されており、
前記ＩＣチップ転写手段は、前記ＩＣチップの前記一方の面が前記可視像と向かい合うようにして、前記ＩＣチップを前記中間転写手段の可視像に転写することを特徴とする請求項１又は２に記載の画像形成装置。
【請求項４】
前記ＩＣチップの少なくとも一方の面の色は、印刷媒体と同じ色であり、
前記ＩＣチップ転写手段は、前記ＩＣチップの前記一方の面が前記可視像と向かい合うようにして、前記ＩＣチップを前記中間転写手段の前記可視像に転写することを特徴とする請求項１乃至３に記載の画像形成装置。
【請求項５】
潜像保持体の表面に第１の静電潜像を形成する第１の潜像形成手段と、
前記潜像保持体に現像剤を供給して第１の静電潜像を第１の可視像に現像する第１の現像手段と、を有し、第１の可視像を印刷媒体に転写する画像形成装置において、
前記潜像保持体の表面に第２の静電潜像を形成する第２の潜像形成手段と、
前記潜像保持体に液体現像剤を供給して第２の静電潜像を印刷媒体と同じ色の第２の可視像に現像する第２の現像手段と、
前記潜像保持体に接触可能に設けられ、前記第２の可視像を前記潜像保持体から写し取り、一時的に保持する中間転写手段と、
前記中間転写手段と接触可能に設けられ、文字情報を保持する記憶手段とその文字情報を通信する通信手段とを有するＩＣチップを前記中間転写手段の前記第２可視像上に転写するＩＣチップ転写手段と、
前記ＩＣチップ転写手段による転写動作を制御する転写制御手段と、
前記中間転写手段と接触可能に設けられ、前記ＩＣチップが転写された第２可視像を、前記中間転写手段から印刷媒体に転写する可視像転写手段と、
を有することを特徴とする画像形成装置。
【請求項６】
前記転写制御手段は、
印刷媒体内の所望位置に前記第２可視像を転写させるための所望印刷情報を生成する所望印刷情報生成手段と、
所望印刷情報に基づいて、前記ＩＣチップ転写手段の前記ＩＣチップを、前記中間転写手段の前記第２の可視像に転写する位置を算出するとともに、
前記第２の潜像形成手段による潜像形成の時間タイミングと、前記潜像保持体の回転速度と、前記中間転写手段の回転速度と、に基づいて、前記ＩＣチップ転写手段の前記ＩＣチップを、前記中間転写手段の前記第２の可視像に転写する時間タイミングを算出する算出手段と、
前記算出手段により、算出された位置及び時間タイミングに基づいて、ＩＣチップ転写手段による転写を制御する制御手段と、
を有することを特徴とする請求項５に記載の画像形成装置。
【請求項７】
潜像保持体の表面に静電潜像を形成する潜像形成手段と、
前記潜像保持体に現像剤を供給して前記静電潜像を可視像に現像する現像手段と、
前記潜像保持体と接触可能に設けられ、文字情報を保持する記憶手段とその文字情報を通信する通信手段とを有するＩＣチップを前記潜像保持体の前記可視像に転写するＩＣチップ転写手段と、
前記ＩＣチップ転写手段による転写動作を制御する転写制御手段と、
前記潜像保持体と接触可能に設けられ、前記ＩＣチップが転写された可視像を、前記潜像保持体から印刷媒体に転写する可視像転写手段と、
を有することを特徴とする画像形成装置。
【発明の詳細な説明】
【０００１】
【発明の属する技術分野】
本発明は、画像形成装置、特に、印刷物の画像に小型ＩＣチップを埋め込むことができる画像形成装置に関する。
【０００２】
【従来の技術】
従来から、種々の機能を持たせた印刷物がある。このような印刷物には、所定機能を有するＩＣチップ等を含んだ回路が組み込まれている場合がある。
【０００３】
例えば、このような回路として、動いている物を赤外線により検知し、所定の音声メッセージを発生する機能を有するものがある。広告ポスターに上記回路が組み込まれている場合、広告ポスターのそばを人が通ると、所定の広告の音声メッセージが聞こえてくる。
【０００４】
また、同様な機能を持つ印刷物として、グリーティングカードもある。例えば、誕生日やクリスマス用のグリーティングカードを開くと、所定の音楽や音声が流れてくる。
【０００５】
従来、これらの印刷物に組み込まれているＩＣチップは、数ｍｍ程度の厚さであるため、上述した用途以外の通常の印刷物に、このようなＩＣチップを組み込むと、厚さが厚くなり、取り扱いに不便であるという問題点があった。
【０００６】
一方、近年、携帯電話に代表される情報処理装置の小型化が進み、これに伴い、所定機能を有するＩＣチップの小型化も進んでる。現在では、０．４ｍｍ×０．４ｍｍ×０．０６ｍｍ程度の大きさの所定機能を有する小型ＩＣチップも開発されている。この小型ＩＣチップに、アンテナ及び文字情報を組み込むことで、外部から与えられた信号によって、所定の文字情報を発信することができる。このような小型ＩＣチップを用いれば、印刷物の厚さが厚くなってしまうことはない。
【０００７】
【発明が解決しようとする課題】
しかしながら、このような小さなＩＣチップを印刷物に組み込む場合、以下のような問題点があった。即ち、従来、印刷物ができてから、ＩＣチップを貼り付けるという方法により、所定の機能を有するＩＣチップが組み込まれた印刷物を作成していた。この方法によれば、このような小型ＩＣチップを、印刷物に貼り付ける場合、特殊な機構を有する装置が必要となる。これにより、コストが高くなってしまうという問題点があった。
【０００８】
一方、このような装置を作成しない場合には、小型ＩＣチップが組み込まれた印刷物の作成は、作業員が行う。作業員が行う場合、このような小型ＩＣチップを印刷物に組み込むのは、特別な熟練が必要である。これにより、生産効率が悪くなってしまい、コストが高くなるという問題点があった。
【０００９】
本発明は、以上のような問題点に鑑みてなされたものであり、特別な機構を有する装置を用いることなく、従来の画像形成装置を利用して、効率的に、画像に小型ＩＣチップを埋め込んだ印刷物を形成することができる画像形成装置を提供することを目的とする。
【００１０】
【課題を解決するための手段】
上述の問題を解決するために、本発明に係る第１の画像形成装置は、潜像保持体の表面に静電潜像を形成する潜像形成手段と、前記潜像保持体に現像剤を供給して前記静電潜像を可視像に現像する現像手段と、前記潜像保持体に接触可能に設けられ、前記可視像を前記潜像保持体から写し取り、一時的に保持する中間転写手段と、前記中間転写手段と接触可能に設けられ、文字情報を保持する記憶手段とその文字情報を通信する通信手段とを有するＩＣチップを、前記中間転写手段の前記可視像に転写するＩＣチップ転写手段と、前記ＩＣチップ転写手段による転写動作を制御する転写制御手段と、前記中間転写手段と接触可能に設けられ、前記ＩＣチップが転写された可視像を、前記中間転写手段から印刷媒体に転写する可視像転写手段と、を有することを特徴とするものである。
【００１１】
また、本発明に係る第２の画像形成装置は、請求項１に記載の前記転写制御手段は、印刷情報に基づいて、前記ＩＣチップ転写手段の前記ＩＣチップを、前記中間転写手段の前記可視像に転写する位置を算出するとともに、前記潜像形成手段による潜像形成の時間タイミングと、前記潜像保持体の回転速度と、前記中間転写手段の回転速度と、に基づいて、前記ＩＣチップ転写手段の前記ＩＣチップを、前記中間転写手段の前記可視像に転写する時間タイミングを算出する算出手段と、前記算出手段により、算出された位置及び時間タイミングに基づいて、ＩＣチップ転写手段による転写を制御する制御手段と、を有することを特徴とするものである。
【００１２】
また、本発明に係る第３の画像形成装置は、請求項１又は２に記載の前記ＩＣチップの少なくとも一方の面は、前記可視像と付着性の高い材料で形成されており、前記ＩＣチップ転写手段は、前記ＩＣチップの前記一方の面が前記可視像と向かい合うようにして、前記ＩＣチップを前記中間転写手段の可視像に転写することを特徴とするものである。
【００１３】
また、本発明に係る第４の画像形成装置は、請求項１乃至３に記載の前記ＩＣチップの少なくとも一方の面の色は、印刷媒体と同じ色であり、前記ＩＣチップ転写手段は、前記ＩＣチップの前記一方の面が前記可視像と向かい合うようにして、前記ＩＣチップを前記中間転写手段の前記可視像に転写することを特徴とするものである。
【００１４】
また、本発明に係る第５の画像形成装置は、潜像保持体の表面に第１の静電潜像を形成する第１の潜像形成手段と、前記潜像保持体に現像剤を供給して第１の静電潜像を第１の可視像に現像する第１の現像手段と、を有し、第１の可視像を印刷媒体に転写する画像形成装置において、前記潜像保持体の表面に第２の静電潜像を形成する第２の潜像形成手段と、前記潜像保持体に液体現像剤を供給して第２の静電潜像を印刷媒体と同じ色の第２の可視像に現像する第２の現像手段と、前記潜像保持体に接触可能に設けられ、前記第２の可視像を前記潜像保持体から写し取り、一時的に保持する中間転写手段と、前記中間転写手段と接触可能に設けられ、文字情報を保持する記憶手段とその文字情報を通信する通信手段とを有するＩＣチップを前記中間転写手段の前記第２可視像に転写するＩＣチップ転写手段と、前記ＩＣチップ転写手段による転写動作を制御する転写制御手段と、前記中間転写手段と接触可能に設けられ、前記ＩＣチップが転写された第２可視像を、前記中間転写手段から印刷媒体に転写する可視像転写手段と、を有することを特徴とするものである。
【００１５】
また、本発明に係る第６の画像形成装置は、請求項５に記載の前記転写制御手段は、印刷媒体内の所望位置に前記第２可視像を転写させるための所望印刷情報を生成する所望印刷情報生成手段と、所望印刷情報に基づいて、前記ＩＣチップ転写手段の前記ＩＣチップを、前記中間転写手段の前記第２の可視像に転写する位置を算出するとともに、前記第２の潜像形成手段による潜像形成の時間タイミングと、前記潜像保持体の回転速度と、前記中間転写手段の回転速度と、に基づいて、前記ＩＣチップ転写手段の前記ＩＣチップを、前記中間転写手段の前記第２の可視像に転写する時間タイミングを算出する算出手段と、前記算出手段により、算出された位置及び時間タイミングに基づいて、ＩＣチップ転写手段による転写を制御する制御手段と、を有することを特徴とするものである。
【００１６】
また、本発明に係る第７の画像形成装置は、潜像保持体の表面に静電潜像を形成する潜像形成手段と、前記潜像保持体に現像剤を供給して前記静電潜像を可視像に現像する現像手段と、前記潜像保持体と接触可能に設けられ、文字情報を保持する記憶手段とその文字情報を通信する通信手段とを有するＩＣチップを前記潜像保持体の前記可視像に転写するＩＣチップ転写手段と、前記ＩＣチップ転写手段による転写動作を制御する転写制御手段と、前記潜像保持体と接触可能に設けられ、前記ＩＣチップが転写された可視像を、前記潜像保持体から印刷媒体に転写する可視像転写手段と、を有することを特徴とするものである。
【００１７】
本発明によれば、ＩＣチップ転写手段が転写制御手段により制御されることで、ＩＣチップが中間転写手段の可視像に転写される。そして、転写制御手段により、中間転写手段上の可視像の位置と、ＩＣチップ転写手段上のＩＣチップの位置と、合わせることができる。また、中間転写手段上の可視像の位置と、ＩＣチップ転写手段上のＩＣチップの位置と、が接触する時間タイミングが同じとなる。これにより、ＩＣチップが可視像に転写され、ＩＣチップを画像に埋め込んだ印刷物を形成できる。
【００１８】
【発明の実施の形態】
実施の形態１．
（１）画像形成装置の構成
図１は、本発明の第１の実施の形態に係る画像形成装置の構成を示す図である。ここでは、液体トナーを用いた湿式画像形成装置を用いて説明するが、特に湿式には限定されない。
【００１９】
画像形成装置は、表面上に静電潜像を保持する潜像保持体１と、潜像保持体１の表面に静電潜像を形成する潜像形成部２と、潜像保持体１に液体現像剤を供給して静電潜像を可視像に現像する現像部３と、潜像保持体１に接触可能に設けられ、可視像を潜像保持体１から写し取り、一時的に保持するする中間転写部４と、を有する。
【００２０】
潜像保持体１は、例えば、円筒状の導電性基体表面に、有機系又はアモルファスシリコン系の感光層を設けた感光ドラムを用いることができる。また、潜像保持体１には、潜像保持体１の回転速度を駆動する潜像保持体駆動部（図示せず）が内蔵されている。
【００２１】
潜像形成部２は、帯電部５と露光部６とを有する。帯電部５は、潜像保持体１の表面を均一に帯電させるものである。帯電部５は、帯電器５０と帯電器５０の帯電動作を駆動する帯電駆動部（図示せず）を有する。帯電器５０は、例えば、コロナ帯電器５０や、スコロトロン帯電器５０を用いることができる。帯電駆動部は、後述する制御部２４により制御され、帯電器５０を駆動して潜像保持体１の表面を所定電位に帯電させる。
【００２２】
露光部６は、画像変調されたレーザビーム等により、均一に帯電された潜像保持体１表面を露光し、潜像保持体１表面に静電潜像を形成するものである。露光部６は、発光部７と、この発光部７を駆動する発光駆動部８と、発光部７からの光を潜像保持体１の表面に結像させる光学機構部（図示せず）と、この光学機構部を駆動する光学駆動部（図示せず）を有する。
【００２３】
発光部７は、例えば、ＬＥＤアレイや、半導体レーザ等により構成される。発光駆動部８は、後述の印刷情報に基づいて、各ＬＥＤやレーザの発光を制御するドライバＩＣ等で構成される。
【００２４】
光学機構部としては、発光部７にレーザを用いる場合、レーザから出た光の進行方向を所定方向に変えるポリゴンミラーや、この光を潜像保持体１の表面に結像させるＦ−θレンズがある。一方、ＬＥＤを用いる場合、複数のＬＥＤ発光部に対応する各セルフォックレンズが配列されたセルフォックレンズアレイがある。これにより、各発光部７から出た光が潜像保持体１の表面に結像される。
【００２５】
光学駆動部は、レーザの場合、光学機構部を駆動して、レーザからでた光を潜像保持体１の軸方向に複数箇所当てる。
【００２６】
なお、露光部６として、光源、液晶シャッタ及びセルフォックレンズで構成することも可能である。
【００２７】
現像部３は、液体現像剤を潜像保持体１表面に供給して、静電潜像に液体現像剤、それに含まれるトナー粒子を付着させ、潜像保持体１表面に形成された静電潜像を可視像に現像する。
【００２８】
現像部３は、トナー粒子が分散された液体現像剤が所定量収納されたタンク９及びこのタンク９内に配置された現像ローラ１０から構成される現像器１１と、現像ローラ１０を駆動する現像駆動部（図示せず）と、を有する。
【００２９】
現像ローラ１０は、トナー粒子を含んだ液体現像剤を保持しながら回転し、一定の電位がかけられている。このため、現像ローラ１０の表面と、潜像保持体１表面の帯電部分以外の部分と、の間の電位差が発生する。即ち、現像ローラ１０の表面の電位の方が、潜像保持体１の表面の電位より高くなる。これにより、潜像保持体１の静電潜像と、現像ローラ１０との間に満たされた液体現像剤に含まれるトナー粒子が、電気泳動により潜像保持体１上の静電潜像側に移動し、静電潜像に付着される。この結果、静電潜像が可視像に現像される。なお、可視像は、顔料、樹脂等で構成される。この樹脂としては、スチレンアクリル系やポリエステル系のものがある。
【００３０】
現像駆動部は、後述する制御部２４に制御され、現像ローラ１０の回転速度、現像ローラ１０の電位を駆動する。現像ローラ１０の電位は、例えば、帯電器５０による帯電を約６００Ｖにした場合、約３００Ｖに設定することも可能である。また、現像ローラ１０の回転周速度は、通常、潜像保持体１の回転周速度の約２倍程度に設定することも可能である。
【００３１】
また、現像部３は、トナー粒子を含んだ液体現像剤が収納された現像液タンク１２と、現像器１１に所定量の液体現像剤が常に収納されるように、現像器１１に現像液タンク１２から液体現像剤を供給する現像液供給配管１３と、現像器１１から液体現像剤を現像液タンク１２に回収する現像液回収管１４と、を有する。
【００３２】
また、現像液タンクは、図示しない濃縮現像液供給部及び現像液濃度調整部に接続されている。そして、必要に応じて、濃縮現像液が濃縮現像液供給部から現像液タンクに供給され、現像液濃度調整部により、所定の濃度に調整される。
【００３３】
中間転写部４は、中間転写体４ａと、中間転写体を駆動する中間転写駆動部（図示せず）とを有する。
【００３４】
中間転写体４ａは、潜像保持体１に弾性圧接することで、潜像保持体１から可視像が一旦転写される。この中間転写体は、例えば、金属ローラを５０〜２０００μｍ程度の厚さを持つ粘着性シリコーン等により被覆しヒータを内蔵したもの等を用いることができる。
【００３５】
中間転写駆動部は、後述する制御部２４に制御され、中間転写体の回転速度や中間転写体の温度を駆動することができる。
【００３６】
この中間転写体の温度としては、可視像が柔らかくなり、後述する文字情報を保持する記憶部とその文字情報を通信する通信部とを有するＩＣチップが可視像に付着することができる温度である必要がある。このような温度として、可視像のガラス転移温度より高い温度とすることが好ましい。例えば、可視像のガラス転移温度が約４０℃とした場合、中間転写体の温度は８０〜１００℃程度とすることもできる。
【００３７】
また、画像形成装置は、中間転写部４と接触可能に設けられ、上記ＩＣチップを中間転写部４の可視像に転写するＩＣチップ転写部１５と、スキャナやパソコン等から出力された印刷データに基づいて、印刷情報を生成する印刷情報生成部１６と、この印刷情報生成部１６により生成された印刷情報等各種のデータを格納する格納部１７と、この印刷情報に基づいて、ＩＣチップ転写部１５による転写動作を制御する転写制御部１８と、中間転写部４と接触可能に設けられ、上記ＩＣチップが転写された可視像を、中間転写部４から印刷媒体２９に転写する可視像転写部１９と、中間転写部４に可視像が転写された後、潜像保持体１上を清掃するクリーニング部２０と、ＩＣチップ付き可視像が転写された印刷媒体２９を、図示しない用紙トレーに搬送する複数の搬送ローラ（図示せず）と、各部を覆うハウジング部（図示せず）と、を有する。
【００３８】
ここで、本実施の形態で使用されるＩＣチップは、文字情報を保持する記憶部とその文字情報を通信する通信部とを有するものである。また、ＩＣチップの大きさは、約０．４ｍｍ×０．４ｍｍから、約１ｍｍ×１ｍｍの程度のものである。厚さは、約０．０６ｍｍ程度である。以下、このようなＩＣチップを小型ＩＣチップという。
【００３９】
ＩＣチップ転写部１５は、ＩＣチップ転写体１５ａと、このＩＣチップ転写体１５ａ内に内蔵されＩＣチップ転写体１５ａを駆動するＩＣチップ転写駆動部（図示せず）とを有する。ＩＣチップ転写体１５ａは、例えば、金属ローラを５０〜１０００μｍ程度の粘着性シリコン等により被覆したものを用いることができる。これにより、小型ＩＣチップをＩＣチップ転写体１５ａに付着させることができる。なお、ＩＣチップ転写体１５ａは、圧接時以外は、中間転写体４ａと離間されている。
【００４０】
ＩＣチップ転写駆動部は、制御部２４により制御され、ＩＣチップ転写体１５ａの回転速度や、動作を駆動する。
【００４１】
印刷情報生成部１６は、印刷データに基づいて、印刷情報を生成する。即ち、印刷情報生成部１６は、スキャナ等から送られてきた印刷データ、指定された印刷サイズ、文字ピッチ、等に基づいて、印刷媒体２９内の所定位置に画像を形成できるような１ページ分の印刷情報を生成する。
【００４２】
ここで、印刷媒体２９内の印刷可能領域の最小単位をドットというとする。そして、印刷可能領域について、例えば、図２に示すように、印刷媒体２９の縦領域をＹドットに分け、横領域をＺドットに分ける。これにより、印刷可能領域をＹ×Ｚのドットに分けることができる。
【００４３】
そして、印刷媒体２９に所定の画像を形成するためには、あるドットでは、画像が形成され、あるドットでは、画像が形成されないというようにする必要がある。
【００４４】
印刷媒体２９に画像を形成するには、発光部７により潜像保持体１に発光させる必要がある。その理由は、以下のとおりである。帯電器５０により潜像保持体１の表面が均一に帯電された後、発光された部分は、電荷が取り去られ、発光させない部分は、電荷が残る。そして、現像ローラ１０の電位を帯電された電荷の電位より低く設定することで、電荷が取り去られた部分と現像ローラ１０の間では、現像ローラ１０の方が電位が高くなっている、このため、電気泳動により、トナー粒子が電荷が取り去られた部分（発光された部分）に付着される。これにより、発光された部分には、可視像が形成され、潜像保持体１、中間転写体４ａの回転、転写動作により、印刷媒体２９に発光された部分に対応して画像が形成される。
【００４５】
ここで、各ドットの画像を印刷媒体２９に形成するために必要な発光部７や光学機構部の動作を、発光部７等が各ドットについて発光するという。この動作は、例えば、発光部７がレーザなら、レーザ光源のオン動作や、光学機構部の回転動作等である。発光部７がＬＥＤプリントヘッドなら、ＬＥＤアレイの各発光ドットを発光させる動作である。
印刷情報としては、先ず、発光部７等により各ドットについて発光させるか否か、発光を潜像保持体１のどの位置に発光させるかという情報がある。
【００４６】
図３に示すように潜像保持体１の軸方向の各ドットの位置に、発光部７等により発光させて、可視像を形成させれば、潜像保持体１、中間転写体４ａ等の回転、転写動作により、印刷媒体２９の横方向の各ドットの位置に画像が形成されることとなる。
【００４７】
また、印刷情報として、発光部７等による発光のタイミングがある。潜像保持体１、中間転写体４ａ等は、所定の回転速度で回転するので、回転速度と発光する時間タイミングとを考慮した発光タイミングを適切に決めれば、印刷媒体２９の縦方向の各ドットの位置に画像が形成されることとなる。
【００４８】
これらの印刷情報に従って、各ドットについて発光部７等が発光すると、各ドットの可視像がそれぞれ対応する潜像保持体１上の所定位置に形成されていく。そして、各ドットの可視像は、中間転写体４ａ、可視像転写体１９ａの回転、転写動作により、印刷媒体２９の各ドットの位置に転写されていく。これにより、印刷データ等に基づいて、印刷媒体２９内の各ドット位置に画像が形成される。
【００４９】
また、格納部１７には、例えば、印刷情報生成部１６により生成された印刷情報や、各ドットと印刷媒体２９内における位置との対応を示す対応テーブルが格納されている。
【００５０】
転写制御部１８は、所定の情報を入力する入力部２０と、入力部２０により入力するために必要な情報を表示する表示部（図示せず）と、印刷情報に基づいて、ＩＣチップ転写部１５の小型ＩＣチップを中間転写部４の可視像に転写する転写する位置を算出するとともに、潜像形成部２により潜像形成の時間タイミングと、潜像保持体１の回転速度と、中間転写部４の回転速度と、に基づいて、ＩＣチップ転写部１５の小型ＩＣチップを中間転写部４の可視像に転写する時間タイミングを算出する算出部２１と、ＩＣチップ転写部１５と接触可能に設けられ、小型ＩＣチップをＩＣチップ転写部１５に転写するＩＣチップ転写ヘッド部２２と、各部を駆動又は制御する時間をカウントするカウンタ２３と、算出部２１により算出された転写する位置及び転写の時間タイミングに基づいて、ＩＣチップ転写部１５による転写動作を制御する等、各部を制御する制御部２４と、を有する。
【００５１】
入力部２０に入力される所定の情報としては、潜像保持体１の回転速度、中間転写体４ａの回転速度、ＩＣチップ転写体１５ａの回転速度、小型ＩＣチップの大きさ、１ドットの画像の大きさ、横方向の１行あたりの総ドット数、プリンタ解像度ＤＰＩ，印刷媒体２９内で小型ＩＣチップを埋め込みたい位置、ＩＣチップ転写体１５ａが中間転写体４ａ方向に移動する速度等がある。
【００５２】
なお、これらの値は、一度入力したら、格納部１７に格納しておき、制御部２４が必要に応じて、格納部１７から読み出すようにしてもよい。
【００５３】
算出部２１は、入力部２０に入力された所定情報及び印刷情報生成部１６により生成された印刷情報に基づいて、上記転写位置を算出する。
【００５４】
また、算出部２１は、潜像形成部２による潜像形成の時間タイミングと、潜像保持体１の回転速度と、中間転写体４ａの回転速度と、に基づいて、転写する時間タイミングを算出する。なお、算出動作の詳細な説明は後述する。
【００５５】
図４は、ＩＣチップ転写ヘッド部２２を用いて、ＩＣチップ転写部１５へ小型ＩＣチップを付着させる動作を説明する図である。ＩＣチップ転写ヘッド部２２は、ＩＣチップ転写体１５ａの円筒軸方向に移動可能である。そして、図４に示す進行方向に、ヘッド部２２に付着させた小型ＩＣチップをＩＣチップ転写体１５ａに圧接することにより、小型ＩＣチップがＩＣチップ転写体１５ａに付着される。
【００５６】
可視像転写部１９は、中間転写部４の小型ＩＣチップ付き可視像を、印刷媒体２９に転写させるものであり、印刷媒体２９を介して、中間転写部４に圧接配置されている。
【００５７】
可視像転写部１９は、可視像転写体１９ａと、この可視像転写体１９ａを駆動する可視像転写体駆動部（図示せず）とを有する。可視像転写体１９ａは、例えば、金属ローラを５０〜１０００μｍ程度の粘着性シリコーン等により被覆したものを用いることができる。可視像転写駆動部は、制御部２４により制御され、可視像転写体の回転速度等を駆動する。
【００５８】
ここで、小型ＩＣチップの少なくとも一方の面は、可視像と付着性の高い材料で形成されていることが好ましい。この付着性の高さは、小型ＩＣチップとＩＣチップ転写体１５ａとの間の付着性の高さより高いことが条件である。そして、ＩＣチップ転写体１５ａは、小型ＩＣチップの上記一方の面が可視像と向かい合うようにして、小型ＩＣチップを中間転写体４ａの可視像に転写する。これにより、中間転写体４ａの可視像に小型ＩＣチップを確実に転写することができる。
【００５９】
ここで、小型ＩＣチップの少なくとも一方の面の色は、印刷媒体２９と同じ色であることが好ましい。そして、ＩＣチップ転写体１５ａは、小型ＩＣチップの上記一方の面が可視像と向かい合うようにして、小型ＩＣチップを中間転写部４の可視像に転写する。
【００６０】
印刷媒体２９上の可視像が、完全に小型ＩＣチップを覆っていない場合、可視像の色、小型ＩＣチップの色、印刷媒体２９の色によっては、小型ＩＣチップの色が目立つこともある。上述のように、小型ＩＣチップの色を印刷媒体２９の色に合わせることで、可視像で覆われていない小型ＩＣチップの色が目立たなくなる。従って、小型ＩＣチップを埋め込むことによる印刷物の外見に影響を与えることがない。
【００６１】
なお、中間転写体４ａは、通常、８０〜１００℃程度に加熱されており、中間転写体４ａに接触している潜像保持体１は、徐々に暖められることになる。但し、印刷時以外は、潜像保持体１と中間転写体４ａは図示しない機構により、離間されており、直接熱は伝わらない。
【００６２】
（２）画像形成装置の動作
本実施の形態の画像形成装置の動作について、図を用いて説明する。図５、図６，図７は、画像形成装置の動作を示すフローチャート図である。
【００６３】
ステップＳ１００では、制御部２４は、印刷情報生成部１６にスキャナーやパソコン等から印刷データや文字サイズ等が送られたか否か判断する。送られた場合には、ステップＳ１１０へ移行する。送られない場合には、ステップＳ１００へ戻る。
【００６４】
ステップＳ１１０では、制御部２４は、印刷情報生成部１６が印刷情報を生成したか否かを判断する。生成した場合には、ステップＳ１２０へ移行する。生成していない場合には、ステップＳ１１０へ移行する。
【００６５】
ステップＳ１２０では、制御部２４は、入力部２０へ所定の情報（所望位置を除く）が入力されたか否か判断する。入力された場合には、ステップＳ１２５へ移行する。入力されない場合には、ステップＳ１２３で、制御部２４は、表示部を介して、利用者に対して所定情報が入力するように指示する旨を表示させ、入力部２０に所定情報を入力させる。その後、ステップＳ１２５へ移行する。
【００６６】
ステップＳ１２５では、制御部２４は、小型ＩＣチップを印刷媒体２９内に埋め込む位置を所望するか否かを表示部に表示させる。所望する場合には、ステップＳ１２７で、利用者に所望位置を入力部２０に入力させる。その後、ステップＳ１３０へ移行する。所望しない場合には、ステップＳ１３０へ移行する。
【００６７】
ステップＳ１３０では、制御部２４は、算出部２１に対して、入力部２０により入力された情報（所望位置、１ドットの画像の大きさ、小型ＩＣチップの大きさ等）を送り、転写位置及び転写時間タイミングを算出するように指示し、算出部２１は、その動作を実行する。この際、制御部２４は、印刷媒体２９内における位置と、各ドットとの対応を示す対応テーブルを格納部１７から読み出し、算出部２１へ送る。
【００６８】
このステップＳ１３０の動作について以下に詳細に説明する。
【００６９】
（Ａ）算出部２１による転写位置の算出動作
図８は、算出部２１によるステップＳ１３０の算出動作を示すフローチャート図である。
【００７０】
ステップＳ１０００では、算出部２１は、入力部２０に入力された１ドットの画像（以下、ドット画像）の大きさと小型ＩＣチップの大きさを考慮して、印刷物において、可視像が小型ＩＣチップを覆い尽くすドット画像の領域である可視像ドット領域を算出する。
【００７１】
例えば、解像度３００ＤＰＩのときを考える。このとき、１ドット画像の大きさは、約８０μｍ〜１２０μｍとなる。そして、小型ＩＣチップの大きさが約５００μｍ×５００μｍの大きさの場合で、横方向１行あたりのドット数がＹのとき、算出部２１は、図９に示すように、印刷媒体２９において、画像が形成されているドットが最低５以上、縦横方向に連続している条件を満たす可視像ドット領域を算出する。
【００７２】
この場合には、算出部２１は、
Ｘ＋ｉドット（ｉ＝１，２，３，，．．α）、
Ｘ＋Ｙ＋ｉドット（ｉ＝１，２，３，，．．α）、
Ｘ＋２Ｙ＋ｉドット（ｉ＝１，２，３，，．．α）、
Ｘ＋３Ｙ＋ｉドット（ｉ＝１，２，３，，．．α）、
Ｘ＋４Ｙ＋ｉドット（ｉ＝１，２，３，，．．α）であるようなＸと４以上のαを、印刷情報から算出する。
【００７３】
ここで、Ｙドット数がでてくるのは、図３に示すように、潜像保持体１や中間転写体４ａの軸方向にＹドット単位で可視像が形成されていくので、印刷媒体２９には、図２に示す横方向には、Ｙドット単位で画像が形成されるためである。
【００７４】
そして、算出部２１は、Ｘとαを算出する。この際、上記条件を満たすＸが複数あれば、全てのＸとαを算出する。これにより、算出部２１は、条件を満たす可視像ドット領域（以下、算出領域）を算出する。
【００７５】
ステップＳ１０１０では、算出部２１は、所望位置が入力されているか否かを判断する。入力されている場合、ステップＳ１０２０へ移行し、入力されていない場合には、ステップＳ１０４０へ移行する。
【００７６】
ステップＳ１０２０では、算出部２１は、対応テーブルを参照して、所望位置に対応するドットである所望ドットを判断する。
【００７７】
ステップＳ１０２５では、算出部２１は、この所望ドットが上記算出領域の中心又は中心付近にあるか否か判断する。
【００７８】
算出領域の中心付近にない場合には、ステップＳ１０３０へ移行する。算出領域の中心付近にある場合には、その算出領域を対象算出領域として、ステップＳ１０４５へ移行する。
【００７９】
ステップＳ１０３０では、算出部２１は、制御部２４を介して、所望位置には、画像が形成されない旨の表示を表示部に表示させる。その後、ステップＳ１２５へ移行する。
【００８０】
ステップＳ１０４０では、算出部２１は、最も領域が大きい算出領域を対象算出領域として算出する。具体的には、すべてのＸのうち、もっともαが大きいＸを算出する。αが最も大きいと、算出領域が最も大きくなり、小型ＩＣチップと可視像との間の接触面積が最も大きくなり、小型ＩＣチップが可視像に最も付着するといえる。
【００８１】
ステップＳ１０４５では、算出部２１は、対象算出領域の中心位置又は中心付近にあるドットと対応するＩＣチップ転写部１５の円筒軸方向の位置である円筒位置及び転写位置を算出する。
【００８２】
円筒位置は、例えば、図９の例では、Ｘ＋２Ｙ＋２ドットと対応するＩＣチップ転写部１５の円筒軸方向の位置である。中心位置にドットがない場合には、中心位置に最も近接するドットのうち、どれか１つのドット（中心付近のドット）と対応するＩＣチップ転写部１５の円筒軸方向の位置である。
【００８３】
この際、算出部２１は、横方向における各ドットと、ＩＣチップ転写部１５の円筒軸方向の位置との対応関係を示すテーブルを保持している。具体的には、以下のとおりである。
【００８４】
図１０に示すように、例えば、対応テーブルには、ＩＣチップ転写部１５の円筒軸方向にＸ軸をとり、中心ドットとＩＣチップ転写部１５のＸ軸方向の位置との対応関係が示されている。例えば、
Ｗドット      Ｘ＝ＸＷ
Ｗ＋１ドット  Ｘ＝ＸＷ＋１    ．．．のような対応である。
【００８５】
算出部２１は、このテーブルを参照して、対象算出領域の中心ドットに対応するＩＣチップ転写部１５の円筒軸方向の円筒位置Ｘｗを算出する。この円筒位置は、Ｘ軸方向の位置だけを考慮している。
【００８６】
そして、算出部２１は、円筒位置Ｘｗの点を回転させて、圧接により中間転写体４ａに接することができる点（Ｅｗ）を転写位置として算出する。この転写位置は、Ｘ軸方向の位置は、円筒位置と同じで、かつ、圧接により中間転写体４ａに接することができる位置をいう。
【００８７】
なお、中心ドットが例えば、Ｗ＋ｎＹドット（ｎは０以上の整数、ＷはＹ以下の整数）の場合、ＩＣチップ転写部１５の円筒軸方向の位置はＸｗとなる。その理由は、中間転写体４ａ上のＷドットの可視像とＷ＋ｎＹドットの可視像は、ＩＣチップ転写部１５との間で転写される時間タイミングは、それぞれ、異なるが、円筒位置は、ともに、Ｘｗであり、転写位置もＥｗでだからである。
（Ｂ）転写時間の算出動作を以下に述べる。
【００８８】
制御部２４は、帯電器５０に帯電を開始させた後、発光駆動部８を制御して、発光部７に対して発光を開始させる。そして、上記算出領域の中心又は中心付近のドットについて発光部７が発光する（潜像形成部２による静電潜像の形成）時間タイミング（たとえば、時刻）をＴ１とする。なお、発光方式として、横方向のドットを一括発光する場合もあるが、レーザのように、スキャン方式で横方向のドットを発光する場合もある。しかし、レーザのスキャン速度は、潜像保持体１の回転速度に比べてかなり速いため、ここでは、同じ横方向のドットなら、ほぼ同じ時間に発光し終わると考える。
【００８９】
潜像保持体１の回転速度Ｘで、図１に示すＡ点からＢ点までの距離をＬ１のとき、回転によりＡ点（潜像保持体１上の中心ドットの静電潜像形成点）がＢ点（中間転写体４ａと潜像保持体１との接触点）に到達するまでかかる時間は、Ｌ１／Ｘである。また、中間転写部４の回転速度Ｘで、Ｂ点からＣ点（中間転写体４ａとＩＣチップ転写体１５ａとの接触点）までの距離をＬ２とすると、回転により、Ｂ点からＣ点に到達する時間は、Ｌ２／Ｘである。
以上のことから、時刻Ｔ１に中心ドットの発光が潜像保持体１に行われてから、中心ドットの可視像がＣ地点に到達する時刻は、Ｔ１＋Ｌ１／Ｘ＋Ｌ２／Ｘである。
【００９０】
一方、ＩＣチップ転写体１５ａを中間転写体４ａに圧接するのに必要な時間（ＩＣチップ転写体１５ａのＥ点（小型ＩＣチップの転写位置）をＣ点に接触させるために必要な時間）をｔとすると、圧接により、ＩＣチップ転写体１５ａの転写位置Ｅｗが、中間転写体４ａのＣ地点と接触する時刻は、Ｔ１＋Ｌ１／Ｘ＋Ｌ２／Ｘ＋ｔである。
【００９１】
従って、転写時間タイミングは、Ｔ１＋Ｌ１／Ｘ＋Ｌ２／Ｘ＋ｔである。
【００９２】
なお、時間ｔは入力部２０により入力されたＩＣチップ転写体１５ａが中間転写体４ａ方向に移動する速度から求められる。
【００９３】
このようにして算出された転写位置及び転写時間タイミングを用いて、転写制御をすることができる。即ち、上述した転写位置Ｅに小型ＩＣチップの中心がくるように、小型ＩＣチップをＩＣチップ転写体１５ａに転写し、上記転写時刻Ｔ１＋Ｌ１／Ｘ＋Ｌ２／Ｘ＋ｔに、ＩＣチップ転写体１５ａの転写位置Ｅが、中間転写体４ａのＣ地点と接触していればよい。これにより、算出領域の中心ドットの可視像の位置と、小型ＩＣチップの中心の位置を合わせて、小型ＩＣチップを可視像に転写することができる。
【００９４】
例えば、以下のような方法で、転写制御ができる。図１１は、その制御方法を示す図である。ＩＣチップ転写ヘッド部２２をＩＣチップ転写体１５ａと圧接させて小型ＩＣチップの中心を円筒位置Ｘｗ（Ｒ点）にして、小型ＩＣチップをＩＣチップ転写体１５ａに転写させた時刻をＴ２とする。そして、ＩＣチップ転写体１５ａの回転速度Ｘで、Ｒ点からＥ点までの距離をＬ３とすると、回転により、Ｒ点からＥ点に到達する時間は、Ｌ３／Ｘである。ここで、Ｃ点とＥ点は、圧接により、ＩＣチップ転写体１５ａと中間転写体４ａとが接触する位置関係にある。そして、ＩＣチップ転写体１５ａを中間転写体４ａに圧接するのに必要な時間（ＩＣチップ転写体１５ａのＥ点をＣ点に接触させるために必要な時間）をｔとすると、小型ＩＣチップがＣ地点に到達するまでの時間は、Ｔ２＋Ｌ３／Ｘ＋ｔである。
【００９５】
以上のことから、Ｔ１＋Ｌ１／Ｘ＋Ｌ２／Ｘ＋ｔ＝Ｔ２＋Ｌ３／Ｘ＋ｔが成立するので、この式を満たす時刻Ｔ２のときに、圧接により、ＩＣチップ転写ヘッド部２２から、小型ＩＣチップをＩＣチップ転写体１５ａに転写させれば、時刻Ｔ２＋Ｌ３／Ｘのとき、ＩＣチップ転写体１５ａの上述した転写位置Ｅｗに小型ＩＣチップの中心がくる。そして、上記転写時刻Ｔ２＋Ｌ３／Ｘ＋ｔに、ＩＣチップ転写体１５ａの転写位置Ｅが、中間転写体４ａのＣ地点と接触していることになる。これにより、算出領域の可視像の中心ドットの位置と、小型ＩＣチップの中心の位置を合わせて、小型ＩＣチップを可視像に転写することができる。
【００９６】
また、以下のような方法でも転写制御ができる。
【００９７】
制御部２４は、Ｔ２よりも前の時刻に、ＩＣチップ転写体１５ａの上記円筒位置Ｒ点に、ヘッド部２２により、小型ＩＣチップをＩＣチップ転写体１５ａに転写させておき、ＩＣチップ転写体１５ａを回転させ、小型ＩＣチップがＥ地点（転写位置）に達したとき、制御部２４は、その位置でＩＣチップ転写体１５ａの回転をストップさせる。そして、時刻Ｔ１＋Ｌ１／Ｘ＋Ｌ２／Ｘになるまで待機し、その時刻になったら、制御部２４は、ＩＣチップ転写体駆動部を介して、ＩＣチップ転写体１５ａを中間転写体４ａに圧接することもできる。
【００９８】
この場合も、上記転写時間Ｔ１＋Ｌ１／Ｘ＋Ｌ２／Ｘ＋ｔに、ＩＣチップ転写体１５ａの転写位置Ｅｗが、中間転写体４ａのＣ地点と接触することとなるので、算出領域の可視像の中心ドットの位置と、小型ＩＣチップの中心の位置を合わせて、小型ＩＣチップを可視像に転写することができる。
【００９９】
なお、解像度が４００，６００，１２００ＤＰＩ等の異なる場合も同様に適用できる。
【０１００】
また、潜像保持体１、中間転写体４ａ、ＩＣチップ転写体１５ａ、可視像転写体の回転速度は同じにする。回転速度を同一にすることで、位置決め誤差のない安定した転写をすることができる。但し、現像や転写が可能である範囲で、回転速度を若干の変更させてもよい。
【０１０１】
ステップＳ１４０では、制御部２４は、算出された転写位置及び転写時間タイミングを算出部２１から取得する。
【０１０２】
ステップＳ１４５では、制御部２４は、潜像保持体駆動部を介して、回転速度Ｘで潜像保持体１に対して回転動作を行わせると共に、帯電駆動部を介して、帯電器５０に対して、帯電動作を行わせる。  この動作により、潜像保持体１の表面は、均一に帯電される。例えば、帯電された部分は、６００Ｖの電位であり、帯電されない部分は、０Ｖである。
【０１０３】
ステップＳ１５０では、制御部２４は、所定時間経過後、発光駆動部８に対して、発光部７に潜像保持体１に発光させるように、指示し、発光駆動部８は、発光部７に発光させる。
【０１０４】
所定時間は、潜像保持体１上の帯電部分が図１のＡ点を通りすぎるまでの時間である。
【０１０５】
この際、制御部２４は印刷情報を格納部１７から読み出し、発光駆動部８へ送る。発光駆動部８は、この印刷情報に従って、発光部７に潜像保持体１へ発光させる。
ステップＳ１６０では、制御部２４は、カウンタ２３を動作させるとともに、現像ローラ駆動部に対して、現像ローラ１０を回転するように指示する。これにより、制御部２４は、カウンタ２３のカウント数から時間や時刻の情報を取得できる。
【０１０６】
同様に、制御部２４は、中間転写体駆動部に対して、中間転写体４ａが回転するように、指示するとともに、可視像転写駆動部に対して、可視像転写体が回転するように指示する。ここでは、現像ローラ１０、中間転写体４ａ、可視像転写体は回転速度Ｘで回転動作を行う。
【０１０７】
現像部３による現像動作を以下に説明する。現像ローラ１０の回転により、液体現像剤が潜像保持体１表面に供給される。これにより、現像部３においては、静電潜像に液体現像剤、トナー粒子が付着され、潜像保持体１表面に形成された静電潜像が可視像化される。
【０１０８】
例えば、現像ローラ１０が３００Ｖにされている場合、潜像保持体１の帯電部分との間では、潜像保持体１から現像ローラ１０へ向かう電界が生じ、トナー粒子は、潜像保持体１に付着しない。一方、潜像保持体１の帯電部分でない部分との間では、現像ローラ１０から潜像保持体１へ向かう電界が生じ、電気泳動により、トナー粒子は、潜像保持体１に付着する。
【０１０９】
中間転写体４ａによる転写動作を以下に説明する。潜像保持体１から中間転写体４ａへ可視像が一旦転写される。この転写動作は、例えば、中間転写駆動部により、中間転写体４ａを潜像保持体１に圧接することにより行われる。
可視像転写体による転写動作は、中間転写体４ａと可視像転写体との圧接により印刷媒体２９に、可視像が転写されることにより行われる。
【０１１０】
なお、これらの転写動作は、電界により行ってもよい。
【０１１１】
ステップＳ１７０では、制御部２４は、発光駆動部８から、発光部７等が発光させたドットを知らされるとともに、対象算出領域の中心ドット（以下、中心ドットという）が発光したか否かを判断する。発光した場合には、カウンタ２３をリセットさせ（潜像形成部による潜像形成の時間タイミング）、ステップＳ１７５へ移行する。発光しない場合には、ステップＳ１７０へ戻る。
【０１１２】
ステップＳ１７５では、制御部２４は、カウンタ２３のカウント数を考慮して、算出された時刻Ｔ２（ＩＣチップ転写ヘッド部２２から、小型ＩＣチップをＩＣチップ転写体１５ａに転写する時刻）となったか否かを判断する。
【０１１３】
なった場合には、ステップＳ１８０へ移行する。ならない場合には、ステップＳ１７５へ移行する。
【０１１４】
ステップＳ１８０では、制御部２４は、小型ＩＣチップが付着されたＩＣチップ転写ヘッド部２２を制御して、ＩＣチップ転写体１５ａに対して、算出された円筒位置に小型ＩＣチップの中心がくるように、小型ＩＣチップを付着させる。
【０１１５】
ステップＳ１９０では、制御部２４は、ＩＣチップ転写駆動部を介して、ＩＣチップ転写体１５ａを回転速度Ｘで、回転させるとともに、時刻Ｔ２から時間Ｌ３／Ｘが経過したか否か、カウンタ２３のカウント数により判断する。
【０１１６】
ならない場合には、ステップＳ１９０へ移行する。なった場合には、ステップＳ２００へ移行する。
【０１１７】
ステップＳ２００では、制御部２４は、ＩＣチップ転写駆動部に対して、ＩＣチップ転写体１５ａの回転をストップするように指示する。このとき、小型ＩＣチップの中心は、転写位置にある。
【０１１８】
ステップＳ２０５では、制御部２４は、ＩＣチップ転写体１５ａが中間転写体４ａに、所定時間ｔで所定圧力で、圧接するように指示する。ＩＣチップ転写体１５ａは実行する。
【０１１９】
この動作により、中間体上の対象算出領域の可視像の中心ドットの位置と、ＩＣチップ転写体１５ａ上の小型ＩＣチップの中心の位置と、が同じ位置で接触する時間タイミングが同じとなる。これにより、小型ＩＣチップが、その大きさより大きな領域の可視像に転写されることとなる。
【０１２０】
また、中間転写体４ａは、上述したように、８０〜１００℃程度に加熱されている。このため、中間転写体４ａ上に転写された可視像は、柔らかい状態となっている。これにより、小型ＩＣチップは柔らかい状態となっている可視像上に転写されることとなるので、付着性が高くなる。
【０１２１】
ステップＳ２１０では、中間転写体４ａの表面上の小型ＩＣチップが転写された可視像（小型ＩＣつき可視像）が、中間転写体４ａと可視像転写体１９ａとの圧接により、印刷媒体２９に、転写される。この動作により、小型ＩＣチップは、画像の中に埋め込まれる。これにより、中心ドットを含む算出ドット領域の画像の中に小型ＩＣチップが埋め込まれた印刷物が形成されることとなる。
【０１２２】
ステップＳ２２０では、小型ＩＣチップ付き可視像が転写された印刷媒体２９は、複数の搬送ローラを介して、図示しない用紙トレーに搬送される。
【０１２３】
なお、ステップＳ１９０の動作は以下のようにしておこなってもよい。図１２は、その動作を示すフローチャート図である。
【０１２４】
ステップＳ３００では、制御部２４は、ＩＣチップ転写駆動部を介して、ＩＣチップ転写体１５ａを回転させて、小型ＩＣチップがＥ点に到達したときに、回転をストップさせる。
【０１２５】
ステップＳ３１０では、制御部２４は、時刻Ｔ１から時間Ｌ１／Ｘ＋Ｌ２／Ｘが経過したか否か判断する。
【０１２６】
経過しない場合には、ステップＳ３１０へ移行する。経過した場合には、ステップＳ２０５へ移行する。
【０１２７】
（３）作用、効果
本実施の形態の画像形成装置においては、ＩＣチップ転写部１５が転写制御部１８により制御されることで、小型ＩＣチップが中間転写体４ａの可視像に転写される。ここで、転写制御部１８は、算出部２１を有する。この算出部２１は、印刷情報に基づいて、ＩＣチップ転写部１５に対して、転写する位置を算出するとともに、潜像形成体により潜像形成の時間タイミングと、潜像保持体１の回転速度と、中間転写部４の回転速度と、に基づいて、転写する時間タイミングを算出する。場合によっては、転写する時間タイミングの算出においては、ＩＣチップ転写部１５の回転速度も考慮する。
【０１２８】
このため、ＩＣチップ転写体１５ａの上述した位置（Ｒ点やＥ点）に小型ＩＣチップの中心がくるようにするとともに、上記転写時刻Ｔ１＋Ｌ１／Ｘ＋Ｌ２／Ｘ＋ｔに、ＩＣチップ転写体１５ａの転写位置Ｅ点が、中間転写体４ａのＣ地点と接触するようにして転写することができる。これにより、算出領域の可視像の中心ドットの位置と、小型ＩＣチップの中心の位置を合わせて、小型ＩＣチップを可視像に転写することができる。これにより、小型ＩＣチップを画像に埋め込んだ印刷物を形成できる。
【０１２９】
このようにして、従来の画像形成装置に改良を加えることで、小型ＩＣチップを埋め込んだ印刷物を効率良く、作成することができる。
【０１３０】
実施の形態２．
実施の形態１の画像形成装置では、印刷媒体２９において、可視像が集中している領域に、小型ＩＣチップを埋め込むことができる。しかし、利用者によっては、印刷媒体２９の特定場所に小型ＩＣチップを埋め込みたい場合もある。このような場合、実施の形態１の画像形成装置では、その特定場所に可視像がほとんどない場合や全くない場合には、小型ＩＣチップを埋め込むことができなくなる。
【０１３１】
実施の形態２の画像形成装置においては、印刷媒体２９内の所望の領域に小型ＩＣチップを埋め込みたい場合で、その領域に黒の可視像がのらないときでも、印刷媒体２９と同じ色の可視像をその領域に印刷媒体２９に転写させる。そして、この可視像に小型ＩＣチップを転写することができる。
【０１３２】
（１）画像形成装置の構成
図１３は、実施の形態２である画像形成装置の構成を示す図である。図１３に示す画像形成装置において、図１に示す構成要素と同一要素、同一機能については、同一符号を付してその説明を省略する。
【０１３３】
実施の形態２の画像形成装置は、潜像保持体１の表面に第１の静電潜像を形成する第１の潜像形成部２ａと、潜像保持体１に液体現像剤を供給して第１の静電潜像を第１の可視像に現像する第１の現像部３ａと、潜像保持体１の表面に第２の静電潜像を形成する第２の潜像形成部２ｂと、潜像保持体１に液体現像剤を供給して第２の静電潜像を印刷媒体２９と同じ色の第２の可視像に現像する第２の現像部３ｂと、を有する。
【０１３４】
第１の現像部３ａのタンク９ａや現像タンク１２ａ内のトナー粒子の色は、例えば、黒である。第２の現像部３ｂのタンク９ｂや現像タンク１２ｂ内のトナー粒子の色は、印刷媒体２９と同じ色であり、例えば、白である。
【０１３５】
また、画像形成装置は、第１可視像又は第２可視像を潜像保持体１から写し取り、一時的に保持する中間転写部４と、中間転写部４と接触可能に設けられ、小型ＩＣチップを中間転写部４の第２可視像に転写するＩＣチップ転写部１５と、ＩＣチップ転写部１５による転写動作を制御する転写制御部３０と、中間転写部４と接触可能に設けられ、小型ＩＣチップが転写された第２可視像又は第１可視像を、中間転写部４から印刷媒体２９に転写する可視像転写部１９と、を有する。
【０１３６】
転写制御部３０は、印刷媒体２９内の所望の位置に第２可視像を形成させるための印刷情報を生成する所望印刷情報生成部３１と、所望印刷情報に基づいて、ＩＣチップ転写部１５が小型ＩＣチップを中間転写部４の第２の可視像に転写する位置を算出するとともに、第２の潜像形成部２による潜像形成の時間タイミングと、潜像保持体１の回転速度と、中間転写体４ａの回転速度と、に基づいて、ＩＣチップ転写体１５ａが小型ＩＣチップを中間転写体４ａの第２の可視像に転写する時間タイミングを算出する算出部２１と、算出部２１により、算出された位置及び時間タイミングに基づいて、ＩＣチップ転写部１５による転写動作を制御する制御部２４と、を有する。
【０１３７】
印刷情報生成部１６は、印刷データに基づいて、１ページの総ドットについて、黒の可視像を付着させるか否か（発光させるか否か）に関する第１印刷情報を生成する。そして、この第１印刷情報は、第１の発光駆動部８ａに送られる。第１の発光駆動部８ａは、第１の発光部７ａを発光させる。
【０１３８】
所望印刷情報生成部３１は、１ページの総ドットについて、第２の可視像（例えば、白の可視像）を付着させるか否かについての第２印刷情報を生成する。この第２の印刷情報は、第２の発光駆動部８ｂに送られる。第２の発光駆動部８ｂは、第２の発光部８を発光させる。
【０１３９】
また、格納部１７には、印刷媒体２９内の各位置と、各ドットと、の対応関係を示す第１対応テーブル、印刷媒体２９内の領域とドット領域との対応関係を示す第２対応テーブルが格納されている。
【０１４０】
なお、小型ＩＣチップの少なくとも一方の面の材料、色については、実施の形態１と同様である。
【０１４１】
（２）画像形成装置の動作
図１４、１５は、本実施の形態の画像形成装置の動作を示すフローチャート図である。図に示す画像形成装置の動作において、図１に示す実施の形態１の画像形成装置の動作と同じ動作については、その説明を省略する。
【０１４２】
ステップＳ１００の動作の後、ステップＳ５１０では、制御部２４は、印刷情報生成部１６が第１の印刷情報を生成したか否かを判断する。生成した場合には、ステップＳ５２０へ移行する。生成していない場合には、ステップＳ５１０へ移行する。
【０１４３】
ステップＳ５２０では、ステップＳ１２０と同じ動作が行われる。入力されないときのステップＳ５２３もステップＳ１２３と同じ動作が行われる。
【０１４４】
ステップＳ５２５では、制御部２４は、印刷媒体２９内において、小型ＩＣチップの埋め込む位置、埋め込む領域を入力部２０により、入力させる。例えば、埋め込む位置は、印刷媒体２９内の領域をＸ軸、Ｙ軸上の座標で表し、（Ｘ＝○、Ｙ＝○）と入力する。埋め込む領域は、縦○μｍ、横△μｍと入力する。但し、埋め込む領域を入力する場合、すでに入力された小型ＩＣチップの大きさより大きい領域を入力する必要がある。
【０１４５】
ステップＳ５３０では、制御部２４は、格納部１７より、印刷媒体２９内の各位置と、各ドットと、の対応関係を示す第１対応テーブル、印刷媒体２９内の領域とドット領域との対応関係を示す第２対応テーブル、埋め込み位置、埋め込み領域を所望印刷情報生成部３１へ送る。
【０１４６】
ステップＳ５４０では、所望印刷情報生成部３１は、第１対応テーブルを参照して、埋め込み位置に対応する対応ドットを判断するとともに、第２対応テーブルを参照して埋め込み領域に対応するドット領域を判断する。ドット領域は、縦のドット数、横のドット数で表される。
【０１４７】
ステップＳ５５０では、所望印刷情報生成部３１は、白い可視像が付着される領域として、対応ドットを中心付近にもつドット領域とする所望印刷情報を生成する。
【０１４８】
この所望印刷情報は、例えば、ドット領域にあるドットについては、発光させ、ドット領域にないドットについては、発光させないという情報である。
【０１４９】
ステップＳ５６０では、制御部２４は、算出部２１に対して、転写位置及び転写時間タイミングを算出するように指示し、算出部２１は、その動作を実行する。
【０１５０】
（Ａ）転写位置の算出動作を以下のとおりである。
【０１５１】
算出部２１は、上記ドット領域の中心付近の対応ドットの円筒位置及び転写位置を算出する。詳細な動作は、ステップＳ１０４５と同様である。
【０１５２】
（Ｂ）転写時間タイミングの算出動作において、回転によりＡ点からＢ点に到達するまでにかかる時間は、必要なく、代わりに、図１３に示すＦ点（第２潜像形成部による第２の静電潜像の形成点）からＢ点までの距離をＬ４としたとき、回転によりＦ点からＢ点に到達するまでにかかる時間Ｌ４／Ｘが必要となる。このため、転写時間タイミングは、実施の形態１の場合とは異なる。算出動作は、実施の形態１と同じである。
【０１５３】
ステップＳ５７０では、制御部２４は、潜像保持体駆動部を介して、潜像保持体１を回転させる。
【０１５４】
ステップＳ５８０では、制御部２４は、第１の帯電駆動部を介して第１帯電器５０ａに対して帯電動作を行わせるとともに、第２の帯電駆動部を介して第２帯電器５０ｂに対して帯電動作を行わせる。
【０１５５】
ステップＳ５９０では、制御部２４は、所定時間経過、第１発光駆動部に対して、印刷情報に従って、第１発光部７ａに発光させる。所定時間は、潜像保持体１上の帯電部分がＡ点上を通り過ぎるまでの時間である。
【０１５６】
ステップＳ６００では、制御部２４は、所定時間経過、第２発光駆動部に対して、所望印刷情報に従って、第２発光部７ｂに発光させる。
【０１５７】
所定時間は、潜像保持体１上の帯電部分がＦ点上を通り過ぎるまでの時間である。
ステップＳ６１０では、制御部２４は、カウンタ２３を動作させ、第１の現像ローラ駆動部に対して、第１の現像ローラ１０ａを回転させるとともに、第２の現像ローラ駆動部に対して、第２の現像ローラ１０ｂを回転させる。
【０１５８】
この動作により、潜像保持体１上において、第１露光部６ａで露光された部分には、第１現像部３ａにより、黒トナーが付着し、第２露光部６ｂで露光された部分には、第２現像部３ｂにより、白トナーが付着される。これらの動作により、潜像保持体１には、第１可視像及び第２可視像が転写される。
【０１５９】
同様に、制御部２４は、中間転写体駆動部に対して、中間転写体４ａが回転するように、指示するとともに、可視像転写駆動部に対して、可視像転写体１９ａが回転するように指示する。中間転写体４ａ、可視像転写体１９ａは回転速度Ｘで回転動作を行う。
【０１６０】
ステップＳ６２０では、制御部２４は、第２発光駆動部８ｂから、発光させたドットを知らされるとともに、対応ドットが発光したか否かを判断する。発光した場合には、カウンタ２３をリセットさせ、ステップＳ１７５へ移行する。発光しない場合には、ステップＳ６２０へ戻る。
【０１６１】
以降の動作は、中間転写体４ａの可視像が白色の第２可視像であり、転写時間タイミングが、異なる点以外は、図６、図７のステップＳ１７５からＳ２２０、図１２のステップＳ３００及びＳ３１０の動作と同じである。
【０１６２】
本実施の形態では、所望領域や位置によっては、第１の可視像と第２の可視像が重なる場合がある。この場合でも、重なった部分の色が多少変更されるくらいで、印刷物の印刷画像に影響を及ぼすことはない。
【０１６３】
但し、このような重なりを避けたい場合には、例えば、以下のようにしてやればよい。、即ち、制御部２４が印刷情報生成部１６又は格納部１７から第１印刷情報を取り出し、第１対応テーブルを参照して、印刷媒体２９内の黒の可視像が転写される位置を表示部に表示させる。
【０１６４】
この動作を図１４のステップＳ５２５の前に入れてやればよい。これにより、利用者は、黒の可視像がない場所を所望位置、領域とすることができる。
【０１６５】
本実施の形態では、第１の実施の形態の画像形成装置の効果に加え、所望の位置に小型のＩＣチップを埋め込むことができる。また、この所望の位置には、印刷媒体２９と同じ色の可視像が付着されるので、印刷物の印刷画像に影響を及ぼすことはない。
【０１６６】
なお、本実施の形態においては、印刷媒体２９の色が白以外の場合でも同様に適用できる。
【０１６７】
この場合には、第２現像部のトナーの色を例えば、その印刷媒体２９の色と同じにしてやればよい（黄色等）。
【０１６８】
また、本実施の形態の画像形成装置では、２色の可視像が印刷媒体２９に転写される場合について説明したが、本発明は、これに特に、限定されない。例えば、複数個の露光部、現像部を用意し、複数色の可視像が印刷媒体２９に転写される場合にも同様に適用できる。
【０１６９】
実施の形態３．
（１）画像形成装置の構成
図１６は、実施の形態３である画像形成装置の構成を示す図である。図に示す画像形成装置において、図１に示す構成要素と同一要素、同一機能については、その詳細な説明を省略する。
【０１７０】
本実施の形態においては、実施の形態１と異なる点は、中間転写部４がない点にある。
【０１７１】
ＩＣチップ転写部１５は、潜像保持体１と接触可能に設けられ、小型ＩＣチップを潜像保持体１の可視像に転写する。
【０１７２】
そして、可視像転写部１９は、潜像保持体１と接触可能に設けられ、小型ＩＣチップが転写された可視像を、前記潜像保持体１から印刷媒体２９に転写する。
【０１７３】
また、潜像保持体１の温度としては、可視像が柔らかくなり、小型ＩＣチップが可視像に付着することができる温度である必要がある。このような温度として、可視像のガラス転移温度より高い温度とすることが好ましい。例えば、可視像のガラス転移温度が約４０℃とした場合、潜像保持体１の温度は８０〜１００℃程度とすることもできる。
【０１７４】
なお、小型ＩＣチップの少なくとも一方の面の材料、色については、実施の形態１と同様である。
【０１７５】
（２）画像形成装置の動作
実施の形態１の画像形成装置の動作と同一動作については、その説明を省略する。
【０１７６】
（Ａ）転写位置の算出動作については、円筒位置は、実施の形態１と同じ動作で求められる。転写位置は、円筒位置を回転させて、圧接により潜像保持体１に接することができる点を転写位置とする。
【０１７７】
（Ｂ）転写時間の算出動作を以下に述べる。
【０１７８】
本実施の形態では、実施の形態１と異なる点は以下の点である。回転によりＡ点からＢ点に到達するまでにかかる時間は、必要なく、代わりに、図１６に示すＡ点からＧ点（潜像保持体１とＩＣチップ転写体１５ａとの接触点）までの距離をＬ５としたとき、回転によりＡ点からＧ点に到達するまでにかかる時間Ｌ５／Ｘが必要となる。また、ＩＣチップ転写体１５ａを中間転写体４ａに圧接するのに必要な時間（ＩＣチップ転写体１５ａのＥ点をＣ点に接触させるために必要な時間）は必要なく、代わりに、ＩＣチップ転写体１５ａを潜像保持体１に圧接するのに必要な時間（ＩＣチップ転写体１５ａのＥ点をＧ点に接触させるために必要な時間）が必要である。このため、転写時間タイミングは、実施の形態１の場合とは異なる。算出動作方法は、実施の形態１と同じである。
【０１７９】
また、画像形成装置の動作を示す図５，図６，図７，図１２のフローチャート図と異なる点は、以下のとおりである。
【０１８０】
ステップＳ２０５では、以下の点が異なる。制御部２４は、ＩＣチップ転写体１５ａが潜像保持体１に、所定の進行速度、所定圧力で、圧接するように指示する。ＩＣチップ転写体１５ａは実行する。
【０１８１】
ステップＳ２１０では、以下の点が異なる。潜像保持体１の表面上の小型ＩＣチップが転写された可視像（ＩＣつき可視像）が、潜像保持体１と可視像転写体１９ａとの圧接により、印刷媒体２９に、転写される。その後、小型ＩＣチップ付き可視像が転写された印刷媒体２９は、複数の搬送ローラを介して、図示しない用紙トレーに搬送される。
【０１８２】
以上の点以外は、実施の形態１の画像形成装置の動作と同じである。
【０１８３】
本実施の形態では、実施の形態１の効果に加えて、中間転写体４ａを省略することができるので、画像形成装置の小型化を図ることができる。
【０１８４】
実施の形態４．
図１７は、実施の形態４である画像形成装置の構成を示す図である。実施の形態２との違いは、中間転写部４がない点にある。
【０１８５】
ここで、実施の形態４と実施の形態２との関係は、実施の形態３と実施の形態１との関係は同じである。従って、実施の形態４の画像形成装置の構成、動作は、実施の形態３の記載において、実施の形態１を実施の形態２と置き換えた場合と同じになる。
【０１８６】
本実施の形態では、実施の形態２の効果に加えて、中間転写体４ａを省略することができるので、画像形成装置の小型化を図ることができる。
【０１８７】
なお、小型ＩＣチップの少なくとも一方の面の材料、色については、実施の形態１と同様である。
【０１８８】
（変形例）
本実施の形態では、１つの小型ＩＣチップを印刷物に埋め込む場合について説明したが、もちろん、複数の小型ＩＣチップを印刷物に埋め込むことも可能である。この場合には、ＩＣチップ転写ヘッド部２２部及びＩＣチップ転写部１５を複数設ける必要がある。そして、制御部２４が、上述した実施の形態と同様にして、印刷情報に基づいて、各ヘッド部及びＩＣチップ転写体１５ａを制御できるようにしてやればよい。
【０１８９】
また、本実施の形態では、小型ＩＣチップ転写体１５ａとして、回転ドラムの代わりに、ソレノイドを用いても良い。そして、ソレノイドから中間転写体４ａ又は潜像保持体１へ電磁力を加えることで、小型ＩＣチップを可視像に転写させてもよい。
【０１９０】
（適用例１）
本発明の画像形成装置により形成された小型ＩＣチップ埋め込み印刷物の適用例を示す。
【０１９１】
小型ＩＣチップ埋め込み印刷物を用いた投票、集計システムを以下に示す。
【０１９２】
（１）システムの構成
図１８は、本システムに用いられる小型ＩＣチップ埋め込み印刷物を示す図である。
【０１９３】
図１９は、小型ＩＣチップ埋め込み印刷物を用いた投票、集計システムの構成を示す図である。
【０１９４】
本システムは、複数の小型ＩＣチップ埋め込み印刷物６０と、自分の識別番号（以下、ＩＤ番号という）を発信することができるＩＤカード（図示せず）と、集計装置７０と、を有する。
【０１９５】
印刷物には、個人認証機能の小型ＩＣチップ６１、投票機能の小型ＩＣチップ６２、罷免機能の小型ＩＣチップ６３が埋め込まれている。
【０１９６】
ＩＤカードは、各有権者に配布され、各センサー部に対して、自分のＩＤ番号を発信する。
【０１９７】
個人認証機能の小型ＩＣチップは、各有権者の指紋や声、瞳、ＩＤ番号等を検知するセンサー部６１ａと、センサー部６１ａにより検知された指紋等及びＩＤ番号から認証データを生成する認証データ生成部６１ｂと、生成された認証データを送信する送信部６１ｃを有する。
【０１９８】
センサー部６１ａは、指紋や声、目をセンサー部に近づけることで、指紋等を検知することができる。また、センサー部６１ａは、ＩＤカードから発信されたＩＤ番号を検知する。そして、認証データ生成部６１ｂは、指紋等やＩＤ番号から認証データを生成する。
【０１９９】
投票機能の小型ＩＣチップ６２は、ＩＤカードから発信されたＩＤ番号を検知するセンサー部６２ａと、センサー部６２ａで検知されたＩＤ番号と投票する旨の情報とからなる投票データを生成する投票データ生成部６２ｂと、投票データを送信する送信部６２ｃとを有する。
【０２００】
罷免機能の小型ＩＣチップ６３は、ＩＤカードから発信されたＩＤ番号を検知するセンサー部６３ａと、センサー部６３ａで検知されたＩＤ番号と罷免する旨の情報とからなる罷免データを生成する罷免データ生成部６３ｂと、罷免データを送信する送信部６３ｃとを有する。
【０２０１】
集計装置７０は、各送信部から送信された各データを受信する受信部７１と、受信されたデータを解析する解析部７２と、解析部７２により解析された認証データに基づいて、個人の認証検査を行う認証検査部７３と、解析された投票データに基づいて投票集計を行うとともに解析された罷免データに基づいて罷免集計を行う集計部７４と、集計された結果を出力する出力部７５と、全ての有権者の認証に必要な情報が格納されている格納部７６と、各部を制御する制御部７７と、を有する。
【０２０２】
（２）本システムの動作
（印刷物の小型ＩＣの動作）
先ず、有権者Ｘは、小型ＩＣ埋め込み印刷物を見て、例えば、個人認証機能の小型ＩＣチップ６１のセンサー部６１ａに自分の指紋をつけ、ＩＤカードを近づける。これにより、認証データ生成部６１ｂは、指紋及びＩＤ番号からなる認証データを生成する。
【０２０３】
次に、有権者は、図１８に示す○○裁判官を信任する場合には、投票機能の小型ＩＣチップ６２のセンサー部６２ａにＩＤカードを近づける。これにより、投票データ生成部６２ｂは、投票する旨及びＩＤ番号からなる投票データを生成する。
【０２０４】
一方、有権者は、図１８に示す○○裁判官を罷免する場合には、罷免機能の小型ＩＣチップ６３のセンサー部６３ａにＩＤカードを近づける。これにより、罷免データ生成部６３ｂは、罷免する旨及びＩＤ番号からなる罷免データを生成する。
【０２０５】
そして、認証データ、投票データ又は罷免データは、各送信部６１ｃ，６２ｃ，６３ｃから集計装置７０へ送信される。
【０２０６】
（集計装置の動作）
図２０，図２１は、集計装置の動作を示すフローチャート図である。
【０２０７】
ステップＳ５０００で、制御部７７は、受信部７１に認証データが受信されたか否か判断する。
【０２０８】
受信された場合、ステップ５０１０へ移行する。受信されない場合、ステップＳ５０００へ移行する。
【０２０９】
ステップＳ５０１０で、制御部７７は、受信された認証データを解析部７２へ送る。
【０２１０】
ステップＳ５０２０では、解析部７２は、認証データを解析して有権者ＸのＩＤ番号を判断し、格納部７６に格納された各有権者の認証データから、有権者ＸのＩＤ番号に対応する認証データを読み出す。
【０２１１】
ステップＳ５０３０で、解析部７２は、認証検査部７３に対して、受信した有権者Ｘの認証データと、格納部７６から読み出した有権者Ｘの認証データと、を送る。
【０２１２】
ステップＳ５０４０で、認証検査部７３は、受信した有権者Ｘの認証データと、格納部７６から読み出した有権者Ｘの認証データとが一致するか否かを判断する。例えば、認証検査部７３は、受信した有権者Ｘの認証データの指紋と、格納部７６から読み出した有権者Ｘの認証データの指紋とが一致するか否かを判断する。
【０２１３】
一致する場合には、ステップＳ５０５０へ移行する。一致しない場合には、ステップＳ５０４５で、その旨を制御部７７に知らせ、制御部７７は、不正な投票又は罷免と判断し、以降の集計動作を行わない。そして、ステップＳ５０００へ移行する。
【０２１４】
ステップＳ５０５０では、制御部７７は、受信部７１に、有権者ＸのＩＤ番号を有する投票又は罷免データが受信されたか否かを判断する。受信された場合には、ステップＳ５０７０へ移行する。
【０２１５】
受信されていない場合には、ステップＳ５０６０で、制御部７７は、所定時間、受信されたか否かを確認する。受信された場合には、ステップＳ５０７０へ移行する。受信されない場合には、ステップＳ５０６５で、制御部７７は、無効な投票又は罷免と判断し、以降の集計動作を行わない。そして、ステップＳ５０００へ移行する。
【０２１６】
ステップＳ５０７０では、制御部７７は、解析部７２に対して、受信されたデータか否か（罷免データか）判断させる。
【０２１７】
投票データの場合である旨が解析部７２から送られた場合、ステップＳ５０８０で、制御部７７は、集計部７４に対して投票の集計動作を行わせる。具体的には、集計動作は、集計部７４内の投票カウンタのカウント数を１増やすことにより行われる。その後、ステップＳ５１００へ移行する。
【０２１８】
一方、罷免データの場合である旨が解析部７２から送られた場合、ステップＳ５０９０で、集計部７４に対して罷免の集計動作を行わせる。具体的には、集計動作は、集計部７４内の罷免カウンタのカウント数を１増やすことにより行う。その後、ステップＳ５１００へ移行する。
【０２１９】
ステップＳ５１００で、制御部７７は、投票及び罷免期間が終了したか判断する。終了してない場合には、ステップＳ５０００へ移行する。終了した場合には、ステップＳ５１１０で、制御部７７は、集計部７４の投票カウンタのカウント数と、罷免カウンタのカウント数と、を読み出し、出力部７５へ出力させて、集計動作は終了する。なお、途中経過で出力動作が行われても良い。
【０２２０】
このような小型ＩＣチップを埋め込んだ印刷物を用いた投票、集計システムによれば、手作業による集計を必要とせず、確実にしかも迅速に集計結果を得ることができる。また、このような印刷物を電柱等の身近な場所に数多く設置し、比較的長い期間に投票ができるようにすれば、有権者は、自分の都合がよい日や時間に、身近な場所で投票できるので、いちいち、決められた投票所に、決められた日に行く必要がない。この際、印刷物を屋外に設置するような場合には、印刷物に耐候性のコーティングをしておけばよい。
【０２２１】
（適用例２）
小型ＩＣチップ埋め込み印刷物を用いた第２の集計システムを以下に示す。
【０２２２】
（１）本システムの構成
図２２は、本システムに用いられる小型ＩＣチップ埋め込み印刷物を示す図である。
【０２２３】
図２３は、小型ＩＣチップ埋め込み印刷物を用いた第２の集計システムの構成を示す図である。
【０２２４】
本システムは、複数の小型ＩＣチップ埋め込み印刷物８０と、自分の個人ＩＤ番号を発信することができるＩＤカードと、集計装置９０と、を有する。
各印刷物には、図２２に示すように、それぞれ異なる運動会の１シーンの写真が配置され、個人認証機能の小型ＩＣチップ８１と、希望枚数機能の小型ＩＣチップ８２が埋め込まれている。また、各印刷物の個人認証機能の小型ＩＣチップ８１には、配置された写真の写真ＩＤ番号が図示しない記憶部等に格納されている。
【０２２５】
ＩＤカードは、各学生に配布され、各センサー部に対して、自分の個人ＩＤ番号を発信する。
【０２２６】
個人認証機能の小型ＩＣチップ８１は、各学生の指紋等や個人ＩＤ番号を検知するセンサー部８１ａと、センサー部８１ａにより検知された指紋等と、個人ＩＤ番号と、各写真を識別する写真ＩＤ番号と、から認証データを生成する認証データ生成部８１ｂと、生成された認証データを送信する送信部８１ｃと、を有する。
【０２２７】
希望枚数機能の小型ＩＣ８２は、発信された個人ＩＤ番号を検知するセンサー部８２ａと、押圧動作の回数で希望枚数を入力するスイッチ部８２ｂと、スイッチ部８２ｂにより押圧された回数と、センサー部８２ａで検知された個人ＩＤ番号と、写真ＩＤ番号と、から希望枚数データを生成する希望枚数データ生成部８２ｃと、希望枚数データを送信する送信部８２ｄとを有する。
【０２２８】
集計装置９０は、各送信部から送信された各データを受信する受信部９１と、受信されたデータを解析する解析部９２と、解析部９２により解析された認証データに基づいて、個人の認証検査を行う認証検査部９３と、解析された希望枚数データに基づいて、写真購入データを生成したり、写真購入データを組み合わせた写真購入テーブルデータを生成する写真購入データ生成部９４と、写真購入テーブルデータを出力する出力部９５と、全ての学生の認証に必要な情報が格納されている格納部９６と、各部を制御する制御部９７と、を有する。
【０２２９】
（Ｂ）本システムの動作
（小型ＩＣチップ埋め込み印刷物の動作）
先ず、学生Ｘは、各印刷物を見て、希望する写真がある印刷物を見つけた場合、個人認証機能の小型ＩＣチップ８１のセンサー部８１ａに自分の指紋をつけ、ＩＤカードを近づける。これにより、認証データ生成部８１ｂは、検知された指紋と、発信された個人ＩＤ番号と、メモリから読み出した写真ＩＤ番号と、からなる認証データを生成する。
【０２３０】
次に、学生Ｘは、希望枚数機能の小型ＩＣチップ８２のスイッチ部８２ｂを希望枚数回、押すとともに、センサー部８２ａにＩＤカードを近づける。これにより、希望枚数データ生成部８２ｃは、希望枚数と学生Ｘの個人ＩＤ番号と写真ＩＤ番号とからなる希望枚数データを生成する。
【０２３１】
そして、認証データ、希望枚数データは各送信部８１ｃ，８２ｄから集計装置９０へ送信される。
【０２３２】
（集計装置の動作）
図２４，図２５は、集計装置９０の動作を示すフローチャート図である。
【０２３３】
ステップＳ６０００で、制御部９７は、受信部９１に認証データが受信されたか否か判断する。
【０２３４】
受信された場合、認証データは解析部９２へ送られて、ステップＳ６０１０へ移行する。受信されない場合、ステップＳ６０００へ移行する。
【０２３５】
ステップＳ６０１０で、解析部９２は、認証データから学生Ｘの個人ＩＤ番号を判断し、格納部９６に格納された各学生の認証データから、学生Ｘの個人ＩＤ番号に対応する認証データを読み出す。
【０２３６】
ステップＳ６０２０で、解析部９２は、認証検査部９３に対して、受信した学生Ｘの認証データと、格納部９６から読み出された学生Ｘの認証データと、を送る。
【０２３７】
ステップＳ６０２５で、認証検査部９３は、受信した学生Ｘの認証データと、格納部９６から読み出された学生Ｘの認証データとが一致するか否かを判断する。一致する場合には、ステップＳ６０３０へ移行する。一致しない場合には、ステップ６０２７で、その旨を制御部９７に知らせ、制御部９７は、不正な希望と判断し、以降の動作を行わない。そして、ステップＳ６０００へ移行する。
【０２３８】
ステップＳ６０３０では、制御部９７は、受信部９１に、学生Ｘの個人ＩＤ番号を有する希望枚数データが受信されたか否かを判断する。受信された場合には、ステップＳ６０４０へ移行する。
【０２３９】
受信されていない場合には、ステップＳ６０３５で、制御部９７は、所定時間、受信されたか否かを確認する。受信された場合には、ステップＳ６０４０へ移行する。受信されない場合には、ステップＳ６０３７で、制御部９７は、無効な希望と判断し、以降の集計動作を行わない。そして、ステップＳ６０００へ移行する。
【０２４０】
ステップＳ６０４０では、制御部９７は、解析部９２に対して、受信された希望枚数データを送り、解析するように指示する。
【０２４１】
ステップＳ６０５０で、解析部９２は、希望枚数データを解析し、解析結果を写真購入データ生成部９４へ送る。
【０２４２】
ステップＳ６０６０では、写真購入データ生成部９４は、写真ＩＤ番号と、学生の個人ＩＤ番号と、希望枚数と、が対応づけられた写真購入データを生成する。写真購入データデータは、制御部９７を介して、格納部９６に格納される。
【０２４３】
ステップＳ６０７０では、制御部９７は、所定期間（希望を受け付ける期間）が経過したか判断する。経過しない場合には、ステップＳ６０００へ移行する。経過した場合には、ステップＳ６０８０へ移行する。
【０２４４】
ステップＳ６０８０では、制御部９７は、格納部９６から各写真購入データを読み出し、写真購入データ生成部９４へ送る。
【０２４５】
ステップＳ６０８５では、写真購入データ生成部９４は、各写真購入データを組み合わせることにより、写真購入テーブルデータを生成する。
【０２４６】
ステップＳ６０９０では、制御部９７は、写真購入テーブルデータデータを出力部９５に出力させる。
【０２４７】
なお、ステップＳ６０７０の所定期間は、希望を受け付ける期間より短くして、途中経過で写真購入テーブルデータが出力されるようにしてもよい。
【０２４８】
出力データは、例えば、以下のようなデータである。
【０２４９】
0003746698.tif 000002
本システムによれば、従来手作業で行っていた集計、焼き増し、分配等の手間が省け、学校側、写真店側の労力が軽減され、その労力に伴うコストも軽減される。
【０２５０】
また、駅の広告物として、商品の写真が配置された上記小型ＩＣチップ埋め込み印刷物を利用することもできる。第２適用例と同様にして、広告物にアクセスするだけで、各消費者は、商品を購入することもでき、販売者側の労力も軽減される。
【０２５１】
【発明の効果】
以上説明したように、本発明によれば、ＩＣチップ転写手段が転写制御手段により制御されることで、ＩＣチップが中間転写手段の可視像に転写される。そして、転写制御手段により、中間転写手段上の可視像の位置と、ＩＣチップ転写手段上のＩＣチップの位置と、合わせることができる。また、中間転写手段上の可視像の位置と、ＩＣチップ転写手段上のＩＣチップの位置と、が接触する時間タイミングが同じとなる。これにより、ＩＣチップが可視像に転写され、ＩＣチップを画像に埋め込んだ印刷物を形成できる
このようにして、従来の画像形成装置に改良を加えることで、ＩＣチップを埋め込んだ印刷物を効率良く、作成することができる。
【図面の簡単な説明】
【図１】本発明の実施形態１に係る画像形成装置の構成を示す図である。
【図２】本発明の実施形態１に係る印刷媒体と各ドットの関係を説明するための図である。
【図３】各ドットの可視像が潜像保持体、中間転写体に転写されていく様子を示す図である。
【図４】本発明の実施形態に係るＩＣチップ転写ヘッド部の動作を示すための図である。
【図５】本発明の実施形態１に係る画像形成装置の動作を示すフローチャート図である。
【図６】本発明の実施形態１に係る画像形成装置の動作を示すフローチャート図である。
【図７】本発明の実施形態１に係る画像形成装置の動作を示すフローチャート図である
【図８】本発明の実施形態１に係る算出部による算出の動作を示すフローチャート図である
【図９】本実施の形態１に係る算出部による算出される可視像ドット領域の一例を示す図である。
【図１０】本実施の形態１に係る算出部により算出された円筒位置や転写位置を示す図である。
【図１１】本実施の形態１に係る小型ＩＣチップを可視像に転写する際の転写制御を説明するための図である。
【図１２】本実施の形態１に係る画像形成装置の動作の一部を示すフローチャート図である。
【図１３】本発明の実施形態２に係る画像形成装置の構成を示す図である。
【図１４】本実施の形態２に係る画像形成装置の動作を示すフローチャート図である。
【図１５】本実施の形態２に係る画像形成装置の動作を示すフローチャート図である。
【図１６】本発明の実施形態３に係る画像形成装置の構成を示す図である。
【図１７】本発明の実施形態４に係る画像形成装置の構成を示す図である。
【図１８】本発明の第１適用例である印刷物を示す図である。
【図１９】本発明の第１適用例であるシステムを示す図である。
【図２０】本実施の第１適用例のシステムの動作を示すフローチャート図である。
【図２１】本実施の第１適用例のシステムの動作を示すフローチャート図である。
【図２２】本発明の第２適用例である印刷物を示す図である。
【図２３】本発明の第２適用例であるシステムを示す図である。
【図２４】本実施の第２適用例のシステムの動作を示すフローチャート図である。
【図２５】本実施の第２適用例のシステムの動作を示すフローチャート図である。
【符号の説明】
１  潜像保持体  ２  潜像形成部  ３  現像部  ４  中間転写部  ４ａ  中間転写体  ５、５ａ  帯電部  ６，６ａ，６ｂ  露光部  ７，７ａ，７ｂ  発光部  ８，８ａ，８ｂ  発光駆動部  ９，９ａ，９ｂ  タンク  １０，１０ａ，１０ｂ現像ローラ  １１，１１ａ，１１ｂ  現像器  １２，１２ａ，１２ｂ  現像タンク  １３，１３ａ，１３ｂ  現像液供給配管  １４，１４ａ，１４ｂ  現像液回収管  １５  ＩＣチップ転写部  １５ａ  ＩＣチップ転写体  １７，７６，９６  格納部  １８、３０  転写制御部  １９  可視像転写部  １９ａ  可視像転写体  ２０  入力部  ２１  算出部  ２２  ＩＣチップ転写ヘッド部  ２３  カウンタ  ２４，７７，９７  制御部      ２９  印刷媒体   ３１  所望印刷情報生成部  ６０、８０  小型ＩＣチップ埋め込み印刷物  ６１、６２，６３、８１，８２  小型ＩＣチップ  ６１ａ，６２ａ，６３ａ，８１ａ，８２ａ  センサー部    ６１ｂ  認証データ生成部、６２ｂ  投票データ生成部  ６３ｂ  罷免データ生成部  ６１ｃ、６２ｃ、６３ｃ、８１ｃ、８２ｄ  送信部  ７０、９０集計装置  ７１、９１  受信部  ７２、９２  解析部  ７３、９３  認証検査部  ７４  集計部  ７５、９５  出力部  ８２ｂ  スイッチ部  ９４  写真購入データ生成部
【図１】
0003746698.tif 000003
【図２】
0003746698.tif 000004
【図３】
0003746698.tif 000005
【図４】
0003746698.tif 000006
【図５】
0003746698.tif 000007
【図６】
0003746698.tif 000008
【図７】
0003746698.tif 000009
【図８】
0003746698.tif 000010
【図９】
0003746698.tif 000011
【図１０】
0003746698.tif 000012
【図１１】
0003746698.tif 000013
【図１２】
0003746698.tif 000014
【図１３】
0003746698.tif 000015
【図１４】
0003746698.tif 000016
【図１５】
0003746698.tif 000017
【図１６】
0003746698.tif 000018
【図１７】
0003746698.tif 000019
【図１８】
0003746698.tif 000020
【図１９】
0003746698.tif 000021
【図２０】
0003746698.tif 000022
【図２１】
0003746698.tif 000023
【図２２】
0003746698.tif 000024
【図２３】
0003746698.tif 000025
【図２４】
0003746698.tif 000026
【図２５】
0003746698.tif 000027